(57)【要約】【課題】 健康機器の固定台１に対してハウジング３を閉じる時の衝撃を和らげる。【解決手段】 ハウジング３を全開状態から閉じるときに、開用ガススプリング２３，２３のストロークが縮んで付勢力Ｆ（ａ）が次第に大きくなるととともに開用ガススプリング２３，２３による回動モーメントの腕長さαが急激に小さくなって、開用ガススプリング２３，２３の付勢力Ｆ（ａ）による回動モーメントが急激に弱まるのに合わせて、閉用ガススプリング２４，２４のストロークが縮んで付勢力Ｆ（ｂ）が次第に強くなるとともに開用ガススプリング２３，２３による回動モーメントの腕長さβが次第に大きくなって、閉用ガススプリング２４，２４の付勢力Ｆ（ｂ）による回動モーメントが次第に強まる。これによって、ハウジング３の自重による回動モーメントによってハウジング３を閉じようとする時の衝撃を和らげることができる。【選択図】図６
2009039185.tif 000002
【特許請求の範囲】
【請求項１】
使用者の身体の少なくとも一部を覆うハウジングと、該ハウジングを回動可能に枢着する固定台とを備え、前記ハウジングが前記固定台に対して開閉できるようになっている健康機器の開閉機構において、
一端を前記ハウジングに回動可能に枢着され、他端を前記固定台に回動可能に枢着され、前記ハウジングが前記固定台に対して全閉状態の時に比べ全開状態の時に前記ハウジングに開方向に大きな付勢力を加える開用弾性手段と、
一端を前記ハウジングに回動可能に枢着され、他端を前記固定台に回動可能に枢着され、前記ハウジングが前記固定台に対して全開状態の時に比べ全閉状態の時に前記ハウジングに開方向に大きな付勢力を加える閉用弾性手段と、
を備えることを特徴とする健康機器の開閉機構。
【請求項２】
請求項１に記載の健康機器の開閉機構において、前記開用弾性手段および前記閉用弾性手段の付勢力により、前記ハウジングを前記固定台に対して少なくとも全開状態で保持できることを特徴とする健康機器の開閉機構。
【請求項３】
請求項１または２に記載の健康機器の開閉機構を備え、前記ハウジングおよび前記固定台の少なくとも一方に発熱体を有することを特徴とする健康機器。
【発明の詳細な説明】
【技術分野】
【０００１】
本発明は健康機器の開閉機構および健康機器に関し、特にハウジングが固定台に対して開閉できるようになっている健康機器の開閉機構およびその健康機器に関する。
【背景技術】
【０００２】
岩盤浴ベッド、日焼けマシン等の使用者の身体の少なくとも一部を挿入して使用する従来の健康機器では、使用者の身体の少なくとも一部を挿入する際にハウジングが固定台に対して開閉できるようになっているものがある（例えば、特許文献１参照）。このような健康機器には、ハウジングの開放時に少ない操作力で開放できるように、ハウジングの開放を補助する付勢力を与える弾性手段が開閉機構に配設されているものがある。例えば、ハウジングが全閉状態の時に比べて全開状態の時に大きな回動モーメント（力量ともいう）をハウジングに加えるガススプリング（以下、開用ガススプリングという）が少なくとも１個設けられていた。
【０００３】
従来の健康機器の開閉機構では、例えば、図７に示すように、開用ガススプリング１２３の一端（例えばシリンダ）が固定台１０１の蝶番１０２寄りに固定されたブランケット１１３にピンによって回動可能に枢着され、他端（例えばピストンロッド）がハウジング１０３の蝶番１０２から離れて固定されたブランケット１３３にピンによって回動可能に枢着されていた。このため、ハウジング１０３を固定台１０１に対して全閉した時には、開用ガススプリング１２３の付勢力Ｆ（ａ）の作用線（ブラケット１１３，１３３間を結ぶ直線）が、ハウジング１０３の回動支点である蝶番１０２の近傍を通ることになり、作用線に対して蝶番１０２から直角に延びる線分の長さ、つまり蝶番１０２に対する開用ガススプリング１２３の付勢力Ｆ（ａ）による回動モーメントの腕長さαは極めて小さくなって、蝶番１０２を中心とする開用ガススプリング１２３の付勢力Ｆ（ａ）による回動モーメント（付勢力Ｆ（ａ）と腕長さαとの積）が、蝶番１０２を中心とするハウジング１０３の重力（自重）による回動モーメントよりも小さくなり、ハウジング１０３が全閉した状態のままで保持されるようになっていた。この全閉状態から、使用者または補助者がハウジング１０３に手を掛けて蝶番１０２を中心としてハウジング１０３を上後向き（図７で見て時計方向）に回動させると、開用ガススプリング１２３の付勢力Ｆ（ａ）の作用線が、ハウジング１０３の回動支点である蝶番１０２から離れて腕長さαが大きくなり、ハウジング１０３が固定台１０１に対して最大に開放された全開状態では、図８に示すように、腕長さα’は全閉時の腕長さαに比べて極めて大きくなる（α’＞＞α）。以下、α’を全開時の腕長さに限定して使用し、その他の状態ではαを使用する。このため、開用ガススプリング１２３の付勢力Ｆ（ａ）’による回動モーメント（付勢力Ｆ（ａ）’と腕長さα’との積）が、蝶番１０２を中心とするハウジング１０３の自重による回動モーメントよりも大きくなり、ハウジング１０３が全開した状態で保持されるようになっていた。以下、Ｆ（ａ）’を全開状態での付勢力に限定して使用し、その他の状態ではＦ（ａ）を使用する。
【特許文献１】特開２００５−２４５６３２号公報（図３ｂ参照）
【発明の開示】
【発明が解決しようとする課題】
【０００４】
しかしながら、上述した従来の健康機器の開閉機構では、全開状態からハウジング１０３を固定台１０１に対して閉じる際に、開用ガススプリング１２３の付勢力Ｆ（ａ）の作用線が水平方向に傾くにつれて付勢力Ｆ（ａ）による回動モーメントの腕長さαが小さくなり、蝶番１０２を中心とする開用ガススプリング１２３の付勢力Ｆ（ａ）による回動モーメントが、蝶番１０２を中心とするハウジング１０３の自重による回動モーメントよりも小さくなると、ハウジング１０３が自重によって急激に閉まってハウジング１０３および固定台１０１に衝撃を与えるという問題があった。このため、ハウジング１０３および固定台１０１に大きな衝撃力が作用し、ハウジング１０３の回動支点である蝶番１０２等の部品に多大の力が加わり、これらの部品の取り付け状態がガタついたり、これらの部品が破損し易くなったりする。また、ハウジング１０３の開閉中にハウジング１０３が自重によって急激に閉まると、場合によっては使用者の身体の一部がハウジング１０３と固定台１０１との間に挟まって怪我をするおそれもあるという問題があった。
【０００５】
特に、従来の健康機器には、ハウジング１０３が上部ハウジングと下部ハウジングとの２段に分かれていて、上部ハウジングを下部ハウジングに対して長手方向にスライドして使用するものがあるが（前記特許文献１の図１参照）、上部と下部とに分かれていたハウジング１０３を一体とした場合、ハウジング１０３の回動支点である蝶番１０２を中心とする慣性モーメントが増大するので、ハウジング１０３を固定台１０１に対して閉める際にハウジング１０３が自重によってさらに急激に閉まってハウジング１０３および固定台１０１により大きな衝撃を与えるおそれが増大することになる。
【０００６】
本発明の目的は、上述の点に鑑み、全開状態からハウジングを固定台に対して閉める際にハウジングが自重によって急激に閉まってハウジングおよび固定台に大きな衝撃を与えることがないようにした健康機器の開閉機構を提供することにある。
【０００７】
また、本発明の他の目的は、上記開閉機構を備え、ハウジングまたは固定台の少なくとも一方に発熱体を有する健康機器を提供することにある。
【課題を解決するための手段】
【０００８】
前記目的を達成するため、請求項１に記載の健康機器の開閉機構は、使用者の身体の少なくとも一部を覆うハウジングと、該ハウジングを回動可能に枢着する固定台とを備え、前記ハウジングが前記固定台に対して開閉できるようになっている健康機器の開閉機構において、一端を前記ハウジングに回動可能に枢着され、他端を前記固定台に回動可能に枢着され、前記ハウジングが前記固定台に対して全閉状態の時に比べ全開状態の時に前記ハウジングに開方向に大きな付勢力を加える開用弾性手段と、一端を前記ハウジングに回動可能に枢着され、他端を前記固定台に回動可能に枢着され、前記ハウジングが前記固定台に対して全開状態の時に比べ全閉状態の時に前記ハウジングに開方向に大きな付勢力を加える閉用弾性手段と、を備えることを特徴とする。請求項１に記載の健康機器の開閉機構によれば、開用弾性手段とは別に、一端をハウジングに回動可能に枢着され、他端を固定台に回動可能に枢着され、ハウジングが固定台に対して全開状態の時に比べ全閉状態の時にハウジングに開方向に大きな付勢力を加える閉用弾性手段を追加したことにより、全開状態からハウジングを固定台に対して閉める際にハウジングが自重によって急激に閉まって、ハウジングおよび固定台に大きな衝撃を与えることがないようにすることができる。
【０００９】
請求項２に記載の健康機器の開閉機構は、請求項１に記載の健康機器の開閉機構において、前記開用弾性手段および前記閉用弾性手段の付勢力により、前記ハウジングを前記固定台に対して少なくとも全開状態で保持できることを特徴とする。請求項２に記載の健康機器の開閉機構によれば、ハウジングを固定台に対して少なくとも全開状態で保持できるので、使用者一人でも補助者の補助なしに健康機器の中に入ったり、中から出たりすることができるようになる。
【００１０】
請求項３に記載の健康機器は、請求項１または２に記載の開閉機構を備え、前記ハウジングまたは前記固定台の少なくとも一方に発熱体を有することを特徴とする。請求項３に係る健康機器によれば、ハウジングまたは固定台の少なくとも一方に発熱体を有するので、使用者は発熱体からの熱による温熱効果を受けることができる。
【発明を実施するための最良の形態】
【００１１】
健康機器の固定台に対してハウジングを閉じる際の衝撃を和らげるという目的を、開用弾性手段とは別に、一端をハウジングに回動可能に枢着され、他端を固定台に回動可能に枢着され、ハウジングが固定台に対して全開状態の時に比べ全閉状態の時にハウジングに開方向に大きな付勢力を加える閉用弾性手段を追加することにより達成した。
【００１２】
以下、本発明の実施の形態について図面を参照しながら詳しく説明する。
【実施例１】
【００１３】
図１は、本発明の実施例１に係る健康機器において固定台１に対してハウジング３を全閉した状態を示す斜視図であり、図２は、固定台１に対してハウジング３を全開した状態を示す斜視図である。本実施例１に係る健康機器は、具体的には、岩盤浴ベッドである。
【００１４】
固定台１は、平面視ほぼ長方形の板体でなり、下面の４隅位置には４本の脚１６が取り付けられている。また、固定台１の上面の前端側（図１および図２で見て左端側）には、枕１７が載置されている。このため、使用者は、枕１７に頭を載せて固定台１上に横たわることができ、固定台１はベッドの役目をする。さらに、固定台１の一側部の下面の脚１６，１６間には、コントローラ４が配設されている。
【００１５】
固定台１の上面の枕１７の配置位置を除く部分には、岩盤浴用の複数枚（図示は８枚）の石板１８が固定台１の上面と面一となるように敷設されている。なお、石板１８のさらに下には、電熱線等の発熱体（図示せず）が埋設されている。
【００１６】
ここで、石板１８には、ラジウムやラドン等の放射性物質が含まれていてもよい。ラジウムやラドンは、放射線を放射する元素として知られており、近年、医学の分野において、薬だけでは治療しきれない慢性的な疾患、例えば、内臓疾患、疼痛性疾患などの健康障害回復に関して物理療法で治す治療法に用いられている。なお、このような放射能の医学的効果は、微弱放射線が体細胞を刺激して、新陳代謝を活性化するという、いわゆる放射線ホルミシス効果であると考えられている。さらに、このような石板１８からは、放射線の他、希元素ガスやマイナスイオンが発生する。希元素ガスやマイナスイオンは、呼吸や皮膚から取り入れられると、血液を通して体全体をめぐり、新陳代謝を活発にし、各細胞の機能を活性化させ、疲労の回復に効果があり、上述した放射線ホルミシス効果を高める効果もある。
【００１７】
ハウジング３は、半円筒状のドーム型フレーム３１と、ドーム型フレーム３１の内面に貼設された面状発熱体３２とから、その主要部が構成されている。つまり、ハウジング３は、湾曲した内面に沿って遠赤外線を放射する面状発熱体３２を有する。ハウジング３に設けられた面状発熱体３２は、典型的にはハウジング３の内部に横たわった使用者の胸部（背），腹部（腰部、臀部），大腿部，すね又は膨脛部等を遠赤外線で照射する。なお、ハウジング３の前端面（図１および図２で見て左端面）は、使用者が頭を出すために開放されており、後端面は閉じられている。開放前端面には、熱の放出を防止するためのネックカバー等を設けるようにしてもよい。
【００１８】
ここで、面状発熱体３２は、例えば、遠赤外線の波長が４〜１６μｍと遠赤外線放射率が極めて高い金属酸化物パウダーと、天然鉱石とを混合し、焼結して得た遠赤外線放射性セラミックスであってもよい。このような面状発熱体３２から放射される遠赤外線は、使用者の身体に対して放射されると、肌細胞や体液の分子に共振運動、すなわち、波長が共鳴して分子運動が活発化する。これにより、血流が増進し、新陳代謝も活発となり、体全体が暖まる。このとき、通常の汗は汗腺から排出されるが、遠赤外線による発汗は毛穴からも排出される。そして、毛穴は、汗腺より太いので、汗腺から排出できない鉛やカドミウム等の重金属も排出する作用があり、老廃物等を排出し易くなるという効果がある。また、遠赤外線には、水に含まれる水素結合を切断する作用、すなわち、水分子間の水素結合による複合体（水のクラスター）を小さくする作用があり、水分子を体内に取り入れ易くなるという効果もある。特に、本実施例１では、面状発熱体３２を加熱することにより、面状発熱体３２から放射される遠赤外線の放射量が増大するため、遠赤外線による効果が高められる。
【００１９】
なお、面状発熱体３２には、コントローラ４が電気的に接続されており、コントローラ４に設けられたつまみを操作することで、面状発熱体３２の発熱量を調整できるようになっている。同様に、石板１８の下に埋設された発熱体（図示せず）にも、コントローラ４が電気的に接続されており、このコントローラ４に設けられたつまみを操作することで、当該発熱体の発熱量、すなわち石板１８の発熱量も調整できるようになっている。コントローラ４は、図示しない電気コードを通じて家庭用電源コンセントから電力の供給を受けるようになっている。
【００２０】
図３および図４に示すように、固定台１の後端面とハウジング３の後端面との間には、両者間を枢着する蝶番２が取り付けられている。このため、ハウジング３は、固定台１に対して蝶番２を回動支点として、図３に示すハウジング３が固定台１に当接して停止した全閉状態と、図４に示すハウジング３が固定台１に対して最大に傾いて開放した全開状態との間で開閉できるようになっている。
【００２１】
図５および図６に示すように、固定台１とハウジング３との間には、一端をハウジング３に回動可能に枢着され、他端を固定台１に回動可能に枢着され、ハウジング３が固定台１に対して全閉状態の時に比べ全開状態の時にハウジング３に開方向に大きな付勢力Ｆ（ａ）を加える開用ガススプリング２３，２３（本発明の開用弾性手段に相当）と、一端をハウジング３に回動可能に枢着され、他端を固定台１に回動可能に枢着され、ハウジング３が固定台１に対して全開状態の時に比べ全閉状態の時にハウジング３に開方向に大きな付勢力Ｆ（ｂ）を加える閉用ガススプリング２４，２４（本発明の閉用弾性手段に相当）とが配設されている。
【００２２】
詳しくは、開用ガススプリング２３，２３は、全閉時の付勢力Ｆ（ａ）が、全開時の付勢力Ｆ’（ａ）の１．３〜１．４倍程度に選定されている、従来から公知のガススプリングである。以下、Ｆ（ａ）’を全開状態での付勢力に限定して使用し、その他の状態ではＦ（ａ）を使用する。開用ガススプリング２３，２３の一端（例えばシリンダ）は、固定台１の上面左右側部に固定されたブランケット１３，１３にピンによって回動自在に枢着されている。また、開用ガススプリング２３，２３の他端（例えばピストンロッド）は、ハウジング３の左右内面壁に固定されたブラケット３３，３３にピンによって回動自在に枢着されている。ブラケット３３，３３の長手方向位置は、ブランケット１３，１３の長手方向位置よりも前方側に設定されている。このため、ハウジング３を固定台１に対して閉じた全閉状態では、図５に示すように、開用ガススプリング２３，２３の付勢力Ｆ（ａ）の作用線（ブラケット１３，３３間を結ぶ直線）が、ハウジング３の回動支点である蝶番２の近傍を通ることになり、作用線に対して蝶番２から直角に延びる線分の長さ、つまり蝶番２に対する開用ガススプリング２３，２３の付勢力Ｆ（ａ）による回動モーメントの腕長さαは極めて小さくなる。この全閉状態から、使用者または補助者がハウジング３に手を掛けて蝶番２を中心としてハウジング３を上後向き（図５で見て時計方向）に回動させると、開用ガススプリング２３，２３の付勢力Ｆ（ａ）の作用線が、ハウジング３の回動支点である蝶番２から離れて腕長さαが大きくなり、ハウジング３が固定台１に対して最大に開放された全開状態では、図６に示すように、腕長さα’は全閉時の腕長さαに比べて大幅に大きくなる（α’＞＞α）。以下、α’を全開時の腕長さに限定して使用し、その他の状態ではαを使用する。
【００２３】
閉用ガススプリング２４，２４は、全閉時の付勢力Ｆ（ｂ）が、全開時の付勢力Ｆ（ｂ）’の１．３〜１．４倍程度に選定されている、従来から公知のガススプリングである。以下、Ｆ（ｂ）’を全開状態での付勢力に限定して使用し、その他の状態ではＦ（ｂ）を使用する。閉用ガススプリング２４，２４の一端（例えばシリンダ）は、固定台１の上面左右側部に固定されたブラケット１４，１４にピンによって回動可能に枢着されている。また、閉用ガススプリング２４，２４の他端（例えばピストンロッド）は、ハウジング３の後内壁面の左右端部に固定されたブラケット３４，３４にピンによって回動自在に枢着されている。ブラケット１４，１４の長手方向位置は、ブランケット１３，１３の長手方向位置よりも後方側（蝶番２寄り）に設定されており、ブラケット３４，３４の長手方向位置よりも前方側に設定されている。このため、ハウジング３を固定台１に対して閉じた全閉状態では、図５に示すように、閉用ガススプリング２４，２４の付勢力Ｆ（ｂ）の作用線（ブラケット１４，３４間を結ぶ直線）に対して蝶番２から直角に延びる線分の長さ、つまり蝶番２に対する閉用ガススプリング２４，２４の付勢力Ｆ（ｂ）による回動モーメントの腕長さはβとなる。また、ハウジング３を固定台１に対して全開した全開状態では、図６に示すように、閉用ガススプリング２４，２４の付勢力Ｆ（ｂ）’の作用線に対して蝶番２から直角に延びる線分の長さ、つまり蝶番２に対する閉用ガススプリング２４，２４の付勢力Ｆ（ｂ）’による回動モーメントの腕長さはβ’となり、全開時の腕長さβ’は全閉時の腕長さβに比べて小さくなる（β’＜β）。以下、β’を全開時の腕長さに限定して使用し、その他の状態ではβを使用する。
【００２４】
なお、ハウジング３の全開状態での角度位置は、開用ガススプリング２３，２３の最大ストロークまたは閉用ガススプリング２４，２４の最大ストロークによって決定されるものとする。ただし、開用ガススプリング２３，２３または閉用ガススプリング２４，２４に掛かる負荷を軽減するために、ハウジング３の一部を図示しない規制部材に衝き当てて、ハウジング３の全開位置を規制するようにしてもよい。
【００２５】
次に、このように構成された本実施例１に係る健康機器の開閉機構の動作について説明する。
【００２６】
固定台１に対してハウジング３を閉じた全閉状態では、図５に示すように、ハウジング３には、蝶番２を中心として時計周りに、開用ガススプリング２３，２３の付勢力Ｆ（ａ）による回動モーメントと、閉用ガススプリング２４，２４の付勢力Ｆ（ｂ）による回動モーメントとが掛かり、反時計周りにハウジング３の自重による回動モーメントが掛かっている。この状態では、開用ガススプリング２３，２３の付勢力Ｆ（ａ）による回動モーメントの腕長さαが極めて小さく、開用ガススプリング２３，２３の付勢力Ｆ（ａ）と腕長さαとの積である回動モーメントが極めて小さくなる。また、閉用ガススプリング２４，２４の付勢力Ｆ（ｂ）による回動モーメントの腕長さβはある程度の大きさであり、閉用ガススプリング２４，２４の付勢力Ｆ（ｂ）と腕長さβとの積である回動モーメントもある程度の大きさである。しかし、ハウジング３の自重による回動モーメントが、付勢力Ｆ（ａ）による回動モーメントと付勢力Ｆ（ｂ）による回動モーメントとの和よりも大きく、ハウジング３は閉じられたままとなる。
【００２７】
この全閉状態から、使用者が健康機器の中に入るためにハウジング３に手を掛けて上後方に持ち上げるように操作力を加えると、ハウジング３は、蝶番２を回動支点として自重による回転モーメントに抗して時計方向に回動し、固定台１に対して徐々に開き始める。なお、開用ガススプリング２３，２３の付勢力Ｆ（ａ）による回動モーメントと、閉用ガススプリング２４，２４の付勢力Ｆ（ｂ）による回動モーメントとがハウジング３に掛かっていることにより、自重による回動モーメントが大きいハウジング３の開き始め区間でも、ハウジング３を軽快に開き始めることができる。ハウジング３を開き始めると、開用ガススプリング２３，２３のストロークが伸びて付勢力Ｆ（ａ）が次第に小さくなるととともに、開用ガススプリング２３，２３による回動モーメントの腕長さαが急激に大きくなって、開用ガススプリング２３，２３の付勢力Ｆ（ａ）による回動モーメントが急激に強まる。一方、閉用ガススプリング２４，２４のストロークが伸びて付勢力Ｆ（ｂ）が次第に弱くなるとともに、閉用ガススプリング２４，２４による回動モーメントの腕長さβが次第に小さくなって、閉用ガススプリング２４，２４の付勢力Ｆ（ｂ）による回動モーメントが弱まる。
【００２８】
そして、ハウジング３を固定台１に対して全開した状態では、図６に示すように、開用ガススプリング２３，２３は、付勢力Ｆ（ａ）’による回動モーメントをハウジング３に作用させている。また、閉用ガススプリング２４，２４も、付勢力Ｆ（ｂ）’ による回動モーメントをハウジング３に作用させている。このとき、付勢力Ｆ（ａ）’による回動モーメントと付勢力Ｆ（ｂ）’ による回動モーメントとの和は、ハウジング３の自重による回動モーメントよりも大きくなり、ハウジング３は全開状態で保持される。したがって、この全開状態では、使用者は、枕１７に頭を載せて固定台１上に寝転ぶことができる。なお、開用ガススプリング２３，２３および閉用ガススプリング２４，２４の付勢力の関係によって、ハウジング３を固定台１に対して全開状態で保持できるようにしたが、全開状態以外でも保持できるようにしてもよい。換言すれば、ハウジング３を固定台１に対して少なくとも全開状態で保持できればよい。
【００２９】
使用者が枕１７に頭を載せて固定台１上に寝転んだ全開状態から、ハウジング３に手を掛けて下前方に押し下げるように操作力を加えると、ハウジング３は、蝶番２を回動支点として反時計方向に回動する。すると、固定台１に対してハウジング３が徐々に閉じ、開用ガススプリング２３，２３が水平側に倒れ込む。これによって、開用ガススプリング２３，２３のストロークが縮んで付勢力Ｆ（ａ）が次第に大きくなるととともに、開用ガススプリング２３，２３による回動モーメントの腕長さαが急激に小さくなって、開用ガススプリング２３，２３の付勢力Ｆ（ａ）による回動モーメントが急激に弱まる。一方、閉用ガススプリング２４，２４のストロークが縮んで付勢力Ｆ（ｂ）が次第に強くなるとともに開用ガススプリング２３，２３による回動モーメントの腕長さβが次第に大きくなって、閉用ガススプリング２４，２４の付勢力Ｆ（ｂ）による回動モーメントが次第に強まる。
【００３０】
このように、ハウジング３を全開状態から閉じるときに、開用ガススプリング２３，２３の付勢力Ｆ（ａ）による回動モーメントが急激に弱まるのに合わせて、閉用ガススプリング２４，２４の付勢力Ｆ（ｂ）による回動モーメントが次第に強まるようにしたので、ハウジング３の自重による回動モーメントによってハウジング３が閉じる時の衝撃を和らげることができる。このため、ハウジング３および固定台１に大きな衝撃力が作用することがなくなり、ハウジング３の回動支点である蝶番２等の部品に多大の力が加わり、これらの部品の取り付け状態がガタついたり、これらの部品が破損し易くなったりすることが未然に防止できる。また、ハウジング３の開閉中にハウジング３が自重によって急激に閉まって、使用者の身体の一部がハウジング３と固定台１との間に挟まって怪我をするという事態を未然に防止することができる。
【００３１】
本実施例１に係る健康機器においては、使用者が固定台１に寝転んでハウジング３を固定台１に対して全閉した状態では、ハウジング３が使用者の身体を上から覆うようになっている。そして、固定台１に敷設された石板１８からの放射線、希元素ガスおよびマイナスイオン、ならびに熱線と、ハウジング３に貼設された面状発熱体３２からの遠赤外線とが、使用者の身体に放射されるようになっている。特に、石板１８から放射される放射線、希元素ガスおよびマイナスイオンによって優れた医学的効果が得られることは上述した通りであるが、これらに、例えば、遠赤外線を組み合わせることにより、相乗効果を得ることができる。本実施例１では、石板１８と共に、面状発熱体３２をハウジング３に貼設するようにしたことにより、石板１８から放射される放射線による放射線ホルミシス効果、マイナスイオン効果、遠赤外線による温熱効果がそれぞれ相乗的に作用し、医学的効果をさらに高めることができる。
【００３２】
以上に詳述したように、本実施例１の健康機器の開閉機構は、使用者の身体の少なくとも一部を覆うハウジング３と、ハウジング３を回動可能に枢着する固定台１とを備え、ハウジング３が固定台１に対して開閉できるようになっている健康機器の開閉機構において、一端をハウジング３に回動可能に枢着され、他端を固定台１に回動可能に枢着され、ハウジング３が固定台１に対して全閉状態の時に比べ全開状態の時にハウジング３に開方向に大きな付勢力Ｆ（ａ）を加える開用ガススプリング２３，２３と、一端をハウジング３に回動可能に枢着され、他端を固定台１に回動可能に枢着され、ハウジング３が固定台１に対して全開状態の時に比べ全閉状態の時にハウジング３に開方向に大きな付勢力Ｆ（ｂ）を加える閉用ガススプリング２４，２４とを配設するようにしたことにより、開用ガススプリング２３，２３の付勢力Ｆ（ａ）による回動モーメントと、閉用ガススプリング２４，２４の付勢力Ｆ（ｂ）による回動モーメントとがハウジング３に作用することによって、自重による回動モーメントが大きいハウジング３の開き始め区間でも、開用ガススプリング２３，２３の付勢力Ｆ（ａ）による回動モーメントと、閉用ガススプリング２４，２４の付勢力Ｆ（ｂ）による回動モーメントとが効率良く作用を発揮できる結果、ハウジング３を軽快に開き始めることができる。また、自重による回動モーメントが急激に大きくなるハウジング３の閉じ終わり区間でも、開用ガススプリング２３，２３の付勢力Ｆ（ａ）による回動モーメントと、閉用ガススプリング２４，２４の付勢力Ｆ（ｂ）による回動モーメントとが効率良く作用を発揮できる結果、ハウジング３を閉じる時の衝撃を和らげることができるという効果を奏する。
【００３３】
以上、本発明の実施例１を説明したが、これはあくまでも例示にすぎず、本発明はこれに限定されるものではなく、特許請求の範囲の趣旨を逸脱しない限りにおいて、当業者の知識に基づく種々の変更が可能である。
【００３４】
例えば、上記実施例１では、固定台１の石板１８の下に発熱体を設け、かつハウジング３の内面に面状発熱体３２を設けるように説明したが、発熱体は、固定台１またはハウジング３のいずれか一方にだけ設けるようにしてもよい。
【００３５】
また、健康機器として、ハウジング３が固定台１の長手方向に開閉する岩盤浴ベッドを例にとって説明したが、ハウジングが固定台の短手方向に開閉する日焼けマシン等の他の健康機器についても本発明が同様に適用できることはいうまでもない。
【図面の簡単な説明】
【００３６】
【図１】本発明の実施例１に係る開閉機構を搭載する健康機器の一例としての岩盤浴ベッドの全閉状態を示す斜視図。
【図２】図１に示す岩盤浴ベッドの全開状態を示す斜視図。
【図３】図１に示す岩盤浴ベッドの全閉状態を示す側面図。
【図４】図１に示す岩盤浴ベッドの全開状態を示す側面図。
【図５】本発明の実施例１に係る健康機器の開閉機構の全閉状態を示す要部断面図。
【図６】本発明の実施例１に係る健康機器の開閉機構の全開状態を示す要部断面図。
【図７】従来の健康機器の開閉機構の全閉状態を示す要部断面図。
【図８】従来の健康機器の開閉機構の全開状態を示す要部断面図。
【符号の説明】
【００３７】
１  固定台
２  蝶番
３  ハウジング
４  コントローラ
１３，１４  ブランケット
１６  脚
１７  枕
１８  石板
２３  閉用ガススプリング（閉用弾性手段）
２４  開用ガススプリング（開用弾性手段）
３１  ドーム型フレーム
３２  面状発熱体（発熱体）
３３，３４  ブランケット
【図１】
2009039185.tif 000003
【図２】
2009039185.tif 000004
【図３】
2009039185.tif 000005
【図４】
2009039185.tif 000006
【図５】
2009039185.tif 000007
【図６】
2009039185.tif 000008
【図７】
2009039185.tif 000009
【図８】
2009039185.tif 000010